(57)【要約】【課題】コネクタとレセプタクルとの係合状態を維持し、係合状態の解除を速やかかつ容易に行ってコネクタとレセプタクルとの取り外しを行えるコネクタ装置を提供する。【解決手段】レセプタクル３０は、筐体２１に取り付ける筐体取付部４０Ａ、内部空間４１を有する第１凸部４１及び第２凸部４２を具備する第１のフレーム４０と、コネクタ１４のロック機構部１４Ｌに当接する係合突起６２を有する係合片６０と、バネ性を有する板金部材であって、枠状部５１及び係合片６０の係合突起６２を付勢する板バネ５２ａを具備する第２のフレーム５０と、係合片６０を回動自在に支持し、レセプタクル３０に内挿されたコネクタ１３を第１のフレーム４０に対して位置決めする、剛性を有する位置決め部材７０と、を具備する。【選択図】図４
2015191850.tif 000002
【特許請求の範囲】
【請求項１】
電気配線を含む電気コードに設けられたコネクタと、電気機器に設けられ該コネクタが電気的及び物理的に接続されるレセプタクルとを含むコネクタ装置において、
前記レセプタクルは、
前記電気機器の筐体に取り付けるための筐体取付部、前記筐体取付部の一面から突出して設けられ前記コネクタが内挿される凹部を有する一面側凸部、及び該筐体取付部の他面から突出して設けられた他面側凸部を具備する絶縁性の第１のフレームと、
前記第１のフレームの一面側凸部に回動自在に設けられ、前記コネクタに設けられたロック機構部に当接する係合突起を有する係合片と、
バネ性を有して電磁波の放射を抑制する板部材からなり、前記第１のフレームの他面側凸部を囲繞する枠状部及び前記第１のフレームの一面側凸部側に突出配置されて前記係合片の係合突起を前記コネクタ側に付勢する板バネを具備する第２のフレームと、
前記係合片を回動自在に支持し、前記レセプタクルに内挿された前記コネクタを前記第１のフレームに対して位置決めする、剛性を有する位置決め部材と、
を具備することを特徴とするコネクタ装置。
【請求項２】
前記位置決め部材は、
前記第１のフレームの筐体取付部の一面側に固定される接続部と、
前記係合片を回動自在に支持するための回動支持部と、
前記係合片に設けられた初期位置規定突起の当接面に当接する係合片保持部と、
前記一面側凸部側に突出した板バネを収容する板バネ逃がし部を有する本体部と、
を具備することを特徴とする請求項１に記載のコネクタ装置。
【請求項３】
前記板バネは、前記第２のフレームの枠状部の一辺から突出し、該板バネは、前記筐体取付部の一面側と他面側とを連通する貫通孔内を通過して前記第1の凸部側に配置されることを特徴とする請求項１に記載のコネクタ装置。
【請求項４】
前記板バネは、前記第２のフレームから弾性のある一体の板部材により構成されることを特徴とする請求項３に記載のコネクタ装置。
【請求項５】
前記係合片は、指当て部を有し、
前記係合片の指当て部は、前記第１のフレームの一面側凸部に設けられた凹部の開口端面から突出して設けられることを特徴とする請求項１に記載のコネクタ装置。
【請求項６】
請求項１に記載のコネクタ装置の構成を具備する電気機器。
【発明の詳細な説明】
【技術分野】
【０００１】
本発明は、他の装置から延びる電気コードの端部に設けられた電気コネクタが電気的及び物理的に接続されるレセプタクルを備えるコネクタ装置及び電気機器に関する。
【背景技術】
【０００２】
一般に、電気機器を構成する筐体の正面板にはコネクタ受け部（レセプタクルとも記載する）及び表示パネルが設けられている。表示パネルには、例えば、ユーザーが機器の動作状態を容易に認識可能にするための発光部位が設けられている。コネクタ受け部には、外部装置から延出する電気コードの端部に設けられた電気コネクタが接続される。
【０００３】
例えば、特許文献１には、ＥＳＤシールドと及びＥＭＩシールドが互いに電気的に分離された新規で且つ改良されたシールドシステムを有するシールド電気コネクタ組立体が示されている。
【０００４】
また、特許文献２には、小型・薄型化と組立工程の簡易化を図るとともに、コンタクト間の接触状態が確実に保持されるようにするコネクタ装置が開示されている。そして、該文献２にはコンタクト凸部をクリック凹部に相対係合することによりレセプタクルからの脱落を防止する旨が記載されている。
【先行技術文献】
【特許文献】
【０００５】
【特許文献１】特開２０００−３０８０６号公報
【特許文献２】特開２００７−１７９９４３号公報
【発明の概要】
【発明が解決しようとする課題】
【０００６】
しかしながら、引用文献２のコネクタ装置においては、さらに、シールドブッシュを把持してレセプタクルに対してプラグ（本願発明のコネクタに対応）を強く引き抜くことにより、クリック凹部とコンタクト凸部との係合状態が解除される旨、及び、コネクタ装置においては、さらにプラグを引くことによりレセプタクルからの取り外しが行われる旨が記載されている。つまり、特許文献２のコネクタ装置によれば、使用中において、プラグとレセプタクルとの間に解除方向に予期せぬ大きな負荷がかかることによって、プラグとレセプタクルとの接続状態が解除されて観察等の継続が不能となる。なお、特許文献１には脱落の防止、或いは、係合状態の解除等に関して開示も示唆もされていない。
【０００７】
本発明は上記事情に鑑みてなされたものであり、コネクタとレセプタクルとの物理的な係合状態、グランドとの電気的な係合状態を確実に維持しつつ、ロック構造が一体化された部品により係合維持状態の解除を速やかかつ容易に行ってコネクタとレセプタクルとの取り外しを行えるコネクタ装置を提供することを目的にしている。
【課題を解決するための手段】
【０００８】
本発明の一態様のコネクタ装置は、電気配線を含む電気コードの端部に設けられたコネクタと、電気機器に設けられ該コネクタが電気的及び物理的に接続されるレセプタクルとを含むコネクタ装置であって、前記レセプタクルは、前記電気機器の筐体に取り付けるための筐体取付部、前記筐体取付部の一面から突出して設けられ前記コネクタが内挿される凹部を有する一面側凸部、及び該筐体取付部の他面から突出して設けられた他面側凸部を具備する絶縁性の第１のフレームと、前記第１のフレームの一面側凸部に回動自在に設けられ、前記コネクタに設けられたロック機構部に当接する係合突起を有する係合片と、バネ性を有して電磁波の放射を抑制する板金部材であって、前記第１のフレームの他面側凸部を囲繞する枠状部及び前記第1のフレームの一面側凸部側に突出配置されて前記係合片の係合突起を前記コネクタ側に付勢する板バネを具備する第２のフレームと、前記第１のフレームの筐体取付部の一面側に固定される接続部、及び、前記係合片を回動自在に支持するための回動支持部、前記係合片に設けられた初期位置規定突起の当接面に当接する係合片保持部、及び前記一面側凸部側に突出した板バネを収容する板バネ逃がし部を有する本体部を具備する剛性を有する位置決め部材と、を具備している。
【発明の効果】
【０００９】
本発明によれば、コネクタとレセプタクルとの物理的、電気的な係合状態を確実に維持しつつ、係合維持状態の解除を速やかかつ容易に行ってコネクタとレセプタクルとの取り外しを行えるコネクタ装置を実現できる。
【図面の簡単な説明】
【００１０】
【図１】内視鏡にコネクタを有し、電気機器であるカメラコントロールユニットにレセプタクルを備える内視鏡装置を説明する図
【図２】カメラコントロールユニットを説明する図
【図３】カメラコントロールユニットを構成する筐体を説明する図
【図４】レセプタクルの構成を説明する分解斜視図
【図５】第１のフレームを説明する図
【図６】図４の矢印Ｙ６−Ｙ６線断面図であって、係合片の構成を説明する図
【図７Ａ】第１のフレームに第２のフレームを組み付ける工程を説明する図
【図７Ｂ】第２のフレームが一体な第１のフレームに係合片を配置する工程を説明する図
【図７Ｃ】第２のフレームが一体で係合片が配置された第１のフレームに位置決め部材を固定する工程を説明する図
【図７Ｄ】レセプタクルを構成する第２のフレームのバネ板部と、突起部及び初期位置規定突起を有する係合片と、位置決め部材の係合片保持部との関係を主に説明する図
【図８】セプタクルを正面板に一体固定した状態を説明する図
【図９】内視鏡コネクタのロック機構部を主に説明するための図
【図１０Ａ】内視鏡コネクタを内視鏡用コネクタ接続部の長手方向軸に沿って挿入している状態を説明する図
【図１０Ｂ】内視鏡コネクタのロック機構部の稜線が係合片の斜面に当接して前進している状態、を説明する図
【図１０Ｃ】内視鏡コネクタのロック機構部の一平面上に係合片の係合突起の一面側が配置した状態で前進している状態を説明する図
【図１０Ｄ】内視鏡コネクタがレセプタクルに対して接続されたコネクタ接続状態、及び、コネクタ接続状態の撮像用コネクタの抜去を説明する図
【図１１】位置決め部材の変形例を説明する図
【発明を実施するための形態】
【００１１】
以下、図面を参照して本発明の実施の形態を説明する。  
【００１２】
なお、以下の説明に用いる各図において、各構成要素を図面上で認識可能な程度の大きさとするため、構成要素毎に縮尺を異ならせてあるものもあり、本発明は、これらの図に記載された構成要素の数量、構成要素の形状、構成要素の大きさの比率、及び各構成要素の相対的な位置関係のみに限定されるものではない。
【００１３】
図１に示すように内視鏡装置１は、内視鏡２と、内視鏡外部装置であって電気機器である例えばカメラコントロールユニット（以下、ＣＣＵと記載する）３と、モニタ４と、を有して構成されている。
【００１４】
本実施形態のＣＣＵ３は、内視鏡２が備える撮像素子の各種信号処理等を行うビデオプロセッサであって、ＣＣＵ３内には送気管路（不図示）に空気等を供給する送気ポンプ（不図示）、照明用ランプ（不図示）等が設けられている。符号１６は、表示パネルである。
【００１５】
内視鏡２は、挿入部５と、操作部６と、ユニバーサルケーブル７と、を有している。挿入部５は、観察対象部位へ挿入される細長な長尺部材である。  
挿入部５は、先端部５ａと、湾曲部５ｂと、可撓管部５ｃとを連設して構成されている。先端部５ａは、硬質な部材で構成されている。湾曲部５ｂは、例えば上下左右の四方向に湾曲自在に構成されている。可撓管部５ｃは、長尺で可撓性を有する管状部材である。
【００１６】
操作部６には、湾曲操作部８、各種スイッチ９、送気送水ボタン１０、吸引ボタン１１などが設けられている。  
湾曲操作部８は、湾曲部５ｂを上下方向に湾曲操作するための上下ノブ８ａと、左右方向に湾曲操作するための左右ノブ８ｂと、を備えている。スイッチ９は、例えば、レリーズスイッチ、フリーズスイッチ、及び、通常観察と蛍光観察との切り替えを行うための観察モード切替スイッチ等である。なお、符号１２は処置具挿入口である。
【００１７】
ユニバーサルケーブル７は、操作部６の側面より延出されている。ユニバーサルケーブル７の端部には内視鏡コネクタ１３が設けられている。本実施形態の内視鏡コネクタ１３は、撮像用コネクタと一体構造であり、ユニバーサルケーブル７内には撮像用コネクタ部分に接続される電気ケーブルである撮像ケーブルが内蔵している。
【００１８】
図１−図３に示すようにＣＣＵ３を構成する筐体２１は、六面体で内部空間を有する箱構造である。  
図３においては、筐体２１の天地を反転させて、該筐体２１の箱構造を説明している。
【００１９】
図１−図３に示すように筐体２１は、正面板２２、背面板２３、天面側面一体板（以下、トップカバーと記載する）２４、及び底板２５を備えて構成されている。正面板２２は、剛性を有する絶縁部材であって、例えば樹脂製である。これに対して、背面板２３、トップカバー２４、及び底板２５は、剛性を有する金属製である。
【００２０】
なお、トップカバー２４は、一枚の金属板を折り曲げて天面部２４Ｕと、天面部２４Ｕを挟んで対向する側面部２４Ｌ、２４Ｒとを設けて凹字形状に形作られている。  
符号２６は、取手であって、図２に示す設置状態のＣＣＵ３の正面板２２を正面視した状態でトップカバー２４の右側面部２４Ｒに固設されている。
【００２１】
図２に示すように正面板２２の一面にはレセプタクル３０の接続口３０ｍ、表示パネル１６、及び電源スイッチ１７が設けられている。
【００２２】
レセプタクル３０には、内視鏡コネクタ１３の各部位の形状に合わせた形状になっていて、内視鏡コネクタ１３が内挿されるとともに内視鏡コネクタ１３の各部位と電気的及び物理的に接続される内視鏡コネクタ接続部３１、３２が設けられている。レセプタクル３０と内視鏡コネクタ１３とによってコネクタ装置が構成される。
【００２３】
図３に示すように本実施形態において、正面板２２の一面にはパネル電装部１６Ｅが組み付けられ、一面の裏面である他面には送気ポンプ２７等が組み付けられる。
【００２４】
トップカバー２４には、電源基板を内蔵した電源部２８、固体撮像素子である例えばＣＣＤを制御する制御回路及びＣＣＤから伝送された電気信号を処理する信号処理回路を設けたメイン基板を有する制御部２９等が収容される。
【００２５】
図４に示すようにレセプタクル３０は、第１のフレーム４０、第２のフレーム５０、係合片６０、及び位置決め部材７０を備えて主に構成されている。符号６９は、回動軸である。
【００２６】
図４、図５に示すように第１のフレーム４０は、剛性を有する絶縁性樹脂部材で形成されている。第１のフレーム４０は、筐体取付部４０Ａと、一面側凸部（以下、第１凸部と記載する）４１と、他面側凸部（以下、第２凸部と記載する）４２と、を設けて構成されている。  
第１凸部４１は、筐体取付部４０Ａの一面４０Ａａから突出して設けられている。第２凸部４２は、筐体取付部４０Ａの他面４０Ａｂ側から突出して設けられている。  
第１の凸部４１の一端面側には接続口３０ｍを構成する開口４１ｍを有するコネクタ接続空間（以下、接続空間と略記する）４１設けられている。
【００２７】
第２凸部４２内にはと電気的に接続される複数の端子を一纏めに設けた接続コネクタ（不図示）が配設されている。
【００２８】
筐体取付部４０Ａの図中の上側を構成する上側部４０Ａｕには、一面４０Ａａ側と他面４０Ａｂ側とを連通する矩形形状の第１貫通孔４３ｈ１と、一対の第２貫通孔４３ｈ２とが設けられている。第２貫通孔４３ｈ２は、第１貫通孔４３ｈ１を挟んで設けられている。  
符号４０ｈは貫通孔であって、固定ネジの軸部が挿通される逃がし孔である。
【００２９】
第１凸部４１の上側部４０Ａｕ側を構成する天面壁部４１Ｕには、ガイド部４４、切欠部４５、及び後述する回動支持部７３と組み合わせて一対のピン保持部となる軸受部４６が設けられている。  
ガイド部４４は、天面壁部４１Ｕの外面４１Ｕｏから突出する一対の突起部４４ａによって構成される。一対の突起部４４ａは、筐体取付部４０Ａの一面４０Ａａ側から開口４１ｍ方向に向かって延出するように設けられている。
【００３０】
ガイド部４４の幅寸法、即ち、一対の突起部４４ａの間隔は、予め定めた寸法に設定されている。一対の突起部４４ａは、第１貫通孔４３ｈ１の中心軸４３ａの延長線を挟んで、等距離に離間して対向している。  
突起部４４ａの開口４１ｍ側の端部には位置決め部材７０の端部（符号７６参照）が配置される隙間である溝４４ｇが設けられている。
【００３１】
切欠部４５は、天面壁部４１Ｕに設けられた凹であって、一対の側面４５ｓと底面４５ｂとを有して構成されている。底面４５ｂは、第１貫通孔４３ｈ１の中心軸４３ａの延長線に直交する位置関係で設けられている。一対の側面４５ｓは、第１貫通孔４３ｈ１の中心軸４３ａの延長線を挟んで、等距離に離間して対向している。
【００３２】
一対の軸受部４６は、側面４５ｓ、開口側端面４１ｍｆ、外面４１Ｕｏを切り欠いて形成した凹部である。軸受部４６は、開口４１ｍ側端面を金型のパーティングラインとしたとき、金型にスライドブロックを用いること無く成形可能に形成される。
【００３３】
一対の軸受部４６は、回動軸６９の一端部及び他端部を回動自在に保持する保持部である。一対の軸受部４６は曲面を備え、回動軸６９の一端部及び他端部の長手軸方向断面形状に合わせたＲ形状面で構成されている。
【００３４】
第２のフレーム５０は、電磁シールド対策が施された例えば板金部材等の板部材で、バネ性を考慮して予め定めた厚み寸法に設定されている。第２のフレーム５０は、第２凸部４２を覆い包むシールドケースであって、枠状部５１を備えて構成されている。
【００３５】
枠状部５１の箱開口５０ｍ側には、バネ板部５２ａと一対の保持板部５２ｂとが設けられている。バネ板部５２ａと一対の保持板部５２ｂとはそれぞれ前端面５１ｆから予め定めた量、突出している。バネ板部５２ａは、前端面５１ｆからの突出長、幅、厚みを設定して予め定めた弾性力を有する例えば第２のフレーム５０と一体の板部材から板バネとして構成されている。
【００３６】
バネ板部５２ａは、第１のフレーム４０の第１貫通孔４３ｈ１に挿通配置され、該第１貫通孔４３ｈ１を通過して第１の凸部４１側に突出されてその先端が予め定めた位置に配置される。
【００３７】
一対の保持板部５２ｂは、それぞれ第１のフレーム４０の第２貫通孔４３ｈ２に挿通配置され、該保持板部５２ｂは、第２貫通孔４３ｈ２を通過して第１の凸部４１側に突出されて外面４１Ｕｏ上の予め定めた位置に配置される。
【００３８】
図４、図６に示す係合片６０は、剛性及び滑り性を有する樹脂部材で形成されている。係合片６０は、係合片本体６１と、係合突起６２と、バネ当接面部６３と、を備えて構成されている。  
なお、図４に示すように、係合片６０に対し軸保持孔６４を設け、ここに前述の回動軸６９を挿入して取り付ける構成、係合片６０に対して回動軸６９が一体的に成型された構成等であってもよい。
【００３９】
係合突起６２は、係合片本体６１から接続空間４１側に所定量突出した凸部である。係合突起６２の端面は、接触面６２ｔであって、コネクタ１３に突出して設けられている後述するロック機構部（図９の符号１４Ｌ参照）のコネクタ抜去方向端面（図９の符号１４ｂ参照）に当接して、コネクタ１３が内視鏡コネクタ接続部３２から外れることを防止する。  
符号６２ｓは、斜面であって、係合突起６２の一面を含み、ロック機構部１４Ｌのコネクタ挿入方向端面（図９の符号１４ｆ参照）が当接する。
【００４０】
バネ当接面部６３は、係合片本体６１から突出する係合突起６２の根本側端部に設けられた突起部６１ｃの曲面である。突起部６１ｃの断面形状は、半径ｒのＲ面であって、バネ当接面部６３には、バネ板部５２ａの先端側平面が常時、当接配置される。
【００４１】
回動軸６９は、係合片本体６１に設けられた係合突起６２の突出方向とは逆側の面の予め定めた位置に長手軸６１ａに対して直交した軸に沿って設けられている。
【００４２】
符号６５は、位置ずれ防止突起であり、係合片本体６１のピン保持孔６４の開口が形成されている面側の係合突起６２側端面の両側部に設けられている。符号６６は、初期位置規定突起であり、ピン保持孔６４の開口が形成されている面側であって回動中心６９ａを挟んで係合突起６２とは反対側の予め定めた位置に突出して設けられている。符号６６ａは、当接面であり、位置決め部材７０の係合片保持部（図４の符号７４参照）と当接する。
【００４３】
なお、係合片６０は、図６の回動軸６９の中心である回動中心６９ａを係合片６０の回転中心としている。そして、係合片６０は、重心位置より図中の右側である係合突起６２側の重さが重心位置より左側である初期位置規定突起６６側の重さより重くなるように設定してあり、当接面６６ａがバネ板部５２ａの裏面に当接した状態が自然状態（初期状態）となる。  符号６１ｐは指当て部であって、係合片本体６１の指当て部６１ｐ近傍に配置した指先が係合片本体６１から外れることを防止している。
【００４４】
図４に示す位置決め部材７０は、剛性を有する例えば金属部材で形成されている。位置決め部材７０は、位置決め部材接続部７１と位置決め部材本体部７２とを設けて主に構成されている。位置決め部材接続部７１は、位置決め部材７０を第１のフレーム４０を構成する筐体取付部４０Ａの一面４０Ａａ側に固定するための接続部分である。  
【００４５】
具体的に、位置決め部材７０の位置決め部材接続部７１は、螺合によって第１のフレーム４０の一面４０Ａａ側の予め定めた位置に一体的に固定される。符号７０ｈは、貫通孔であって、固定ネジの軸部が挿通される逃がし孔である。
【００４６】
位置決め部材接続部７１を第１のフレーム４０の一面４０Ａａに固定した状態において、位置決め部材本体部７２の一面は、天面壁部４１Ｕの外面Ｕｏに対向して配設されるように構成されている。つまり、位置決め部材接続部７１と位置決め部材本体部７２とは直交した位置関係に設定してある。
【００４７】
なお、位置決め部材本体部７２の幅は、ガイド部４４の幅より予め定めた寸法、幅狭に設定してある。そして、位置決め部材本体部７２の一部は、第１凸部４１側に突出して天面壁部４１Ｕの外面４１Ｕｏ上に配置された保持板部５２ｂをバネ力量で枠状部５１が浮き上がらないように保持する。
【００４８】
位置決め部材本体部７２には、一対の回動支持部７３と、係合片保持部７４と、逃がし部７５と、浮き規制部７６と、が設けられている。  
逃がし部７５は、板バネ逃がし部７５ａと、一対の突起逃がし部７５ｂとを有して構成されている。
【００４９】
板バネ逃がし部７５ａは、バネ板部５２ａの突出長、幅寸法を考慮して予め定めた寸法で形成されている。そして、板バネ逃がし部７５ａには、バネ板部５２ａが弾性変形可能に収容配置される。
【００５０】
一対の突起逃がし部７５ｂにはそれぞれ係合片６０に設けられた一対の位置ずれ防止突起６５が配置される。係合片保持部７４の一面には、初期位置規定突起６６の当接面６６ａが当接する。
当接面６６ａは、回動中心６９ａを挟んで係合片６０の重心が存在する側ではない側にある。このため、当接面６６ａが係合片保持部７４の一面に当接した状態において、係合片６０は、初期位置に規定される。  
初期位置において、後述する図７Ｄに示すように係合片６０の係合突起６２は、接続空間４１の長手方向軸３２ａに向かって直交した位置関係である。
【００５１】
一対の回動支持部７３の軸受部４６に対向する面側には、回動軸６９の一端部の断面形状又は他端部の断面形状を考慮したＲ形状面が形成してある。回動支持部７３は、軸受部４６に配置された回動軸６９の一端部又は他端部が該保持部４６から外れることを防止する。  
そして、回動軸６９の一端部及び他端部は、軸受部４６のＲ形状面と回動支持部７３のＲ形状面とによって挟持された状態において、回動自在に支持される。
【００５２】
なお、浮き規制部７６は、突起部４４ａの開口４１ｍ側の端部に形成された溝４４ｇ内に配置される。
【００５３】
ここで、図７Ａ−図８を参照してレセプタクル３０の正面板２２への組み付け手順の一例を説明する。  
作業者は、正面板２２と、レセプタクル３０を構成する第１のフレーム４０、第２のフレーム５０、係合片６０、及び位置決め部材７０と、を用意する。
【００５４】
作業者は、レセプタクル３０の組み付けを開始する。  
まず、作業者は、図７Ａに示すように第２のフレーム５０の枠状部５１を第１のフレーム４０の第２凸部に囲繞する。その際、作業者は、第２のフレーム５０のバネ板部５２ａを筐体取付部４０Ａの第１貫通孔４３ｈ１に挿通するとともに、一対の保持板部５２ｂを一対の第２貫通孔４３ｈ２にそれぞれ挿通する。
【００５５】
そして、図示しない固定ネジによって第２のフレーム５０を筐体取付部４０Ａの他面４０Ａｂ側に一体的に取り付け固定する。
【００５６】
この結果、一対の突起部４４ａの間であって天面壁部４１Ｕの外面４１Ｕｏの面上に一対の保持板部５２ｂ及びバネ板部５２ａが配置される。バネ板部５２ａの先端側は、切欠部４５の底面４５ｂより予め定めた量、開口４１ｍ方向に突出して配置される。
【００５７】
次に、作業者は、図７Ｂに示すように係合片６０を第１のフレーム４０の第１凸部４１に配置する。その際、係合片６０に一体な回動軸６９の一端部を第１のフレーム４０の第１凸部４１に設けられている一方の軸受部４６に配置し、回動軸６９の他端部を他方の軸受部４６に配置する。
【００５８】
また、バネ当接面部６３である突起部６１ｃ上にバネ板部５２ａを配置する。この結果、係合片６０がバネ板部５２ａの付勢力によって第１凸部４１に配置される。  
また、バネ当接面部６３が回動中心６９ａを中心に回転したとき、バネ板部５２ａの先端部から飛び出さない構成である。
【００５９】
次いで、作業者は、図７Ｃに示すように位置決め部材７０を第１のフレーム４０に固定する。この際、作業者は、位置決め部材７０の位置決め部材本体部７２をガイド部４４内に配置しつつ、一対の突起逃がし部７５ｂ内に係合片６０に設けられた一対の位置ずれ防止突起６５を配置するとともに、一対の浮き規制部７６を一対の突起部４４ａの溝４４ｇ内に配置させる。
【００６０】
この結果、位置決め部材７０が第１のフレーム４０の第１凸部４１を構成する天面壁部４１Ｕの外面４１Ｕｏ上に配置される。  
ここで、作業者は、位置決め部材本体部７２の外面４１Ｕｏに対向する一面が保持板部５２ｂの面上に載置されているか、バネ板部５２ａが板バネ逃がし部７５ａ内に配置されているか、一対の回動支持部７３が軸受部４６に配置された回動軸６９の一端部及び他端部をそれぞれ覆って配置されているか否かを確認する。
【００６１】
確認後、位置決め部材７０の位置決め部材接続部７１を固定ネジ１９によって筐体取付部４０Ａの上側部４０Ａｕの一面４０Ａａ側に一体的に固定してレセプタクル３０を構成する。  
図７Ｃ、図７Ｄに示すように係合片保持部７４の一面が初期位置規定突起６６の当接面６６ａに当接する。また、係合片６０に一体な回動軸６９は、回動支持部７３と軸受部４６とによって挟持された状態で回動自在である。また、バネ板部５２ａが突起部６１ｃ上に配置される。さらに、指当て部６１ｐが第１凸部４１の開口側端面４１ｍｆから突出して設けられている。
【００６２】
最後に、作業者は、上述のように組み付けられたレセプタクル３０を正面板２２に固定ネジによって一体固定する。この結果、図８に示すように正面板２２にレセプタクル３０が組み付けられる。
【００６３】
ここで、図９、図１０Ａ−図１０Ｄを参照してレセプタクル３０の作用を説明する。  
レセプタクル３０の内視鏡コネクタ接続部３２には図９に示す内視鏡コネクタ１３が挿入される。内視鏡コネクタ１３の一面にはロック機構部１４Ｌ、滑り止め１４ａが設けられている。  
なお、滑り止め１４ａは、内視鏡コネクタ１３の両面に設けられている。
【００６４】
ロック機構部１４Ｌは、コネクタ抜去方向端面（以下、コネクタ後退面と記載する）１４ｂと、コネクタ挿入方向端面（以下、コネクタ前進面と記載する）１４ｆと、を有している。コネクタ後退面１４ｂは、当接面であって、係合片６０の係合突起６２の接触面６２ｔが該後退面１４ｂに当接することによって内視鏡コネクタ１３が接続空間４１から外れることを防止する構成になっている。
【００６５】
ユーザーによって例えば内視鏡コネクタ１３がレセプタクル３０の内視鏡コネクタ接続部３２内に挿入される。  
ユーザーが内視鏡コネクタ１３を内視鏡コネクタ接続部３２の長手方向軸３２ａに沿って矢印Ｙ１０Ａに示すように深部に向けて挿入していく。すると、図１０Ａに示すように内視鏡コネクタ１３のロック機構部１４Ｌのコネクタ挿入方向端面（以下、コネクタ前進面と記載する）１４ｆが係合突起６２に徐々に近接していく。  
そして、更に、内視鏡コネクタ１３が矢印Ｙ１０Ａ方向に挿入されることにより、ロック機構部１４Ｌの稜線１４ｅが係合片６０の斜面６２ｓに当接する。
【００６６】
この後、図１０Ｂに示すようにコネクタ前進面１４ｆがさらに移動されることによって、稜線１４ｅが係合突起６２の斜面６２ｓに当接ししつつ前進していく。
【００６７】
この結果、係合片６０が回動中心６９ａを中心にして矢印Ｙ１０Ｂに示すように反時計回りに徐々に回転されていく。係合片６０が回転を開始することによって、初期位置規定突起６６の当接面６６ａが係合片保持部７４の一面から徐々に離間し、突起部６１ｃ上に配置されていたバネ板部５２ａが弾性力に抗して徐々に変形されていく。
【００６８】
図１０Ｃに示すように内視鏡コネクタ１３がさらに矢印Ｙ１０Ｃ方向に挿入されると、ロック機構部１４Ｌの一平面上に係合突起６２の斜面６２ｓを含む一面が配置され、この配置状態で挿入が継続される。このとき、初期位置規定突起６６の当接面６６ａは、係合片保持部７４の一面からさらに離間し、バネ板部５２ａは突起部６１ｃの外周に沿ってさらに弾性変形される。
【００６９】
そして、内視鏡コネクタ１３が内視鏡コネクタ接続部１４ｂの深部のコネクタ接続位置に到達することによって、コネクタ接続状態になる。図１０Ｄに示すように内視鏡コネクタ１３がコネクタ接続位置に到達した際、係合突起６２の一面とロック機構部１４Ｌの一平面との当接状態が解除される。
【００７０】
すると、破線に示すように回動中心６９ａを中心に反時計方向に回転されていた係合片６０が回動中心６９ａを中心に時計回りに回転して実線に示す初期状態に戻る。これは、係合片６０の重心位置より係合突起６２側の重さが重く設定されているため、及び、変形されたバネ板部５２ａの弾性力が係合片６０の突起部６１ｃに作用しているためである。
【００７１】
なお、係合片６０が回動中心６９ａを中心に時計回りに回転されると、初期位置規定突起６６の当接面６６ａが再び係合片保持部７４の一面に当接する。
【００７２】
この初期状態において、係合突起６２の接触面６２ｔと内視鏡コネクタ１３に設けられたロック機構部１４Ｌのコネクタ後退面１４ｂとが対向した位置関係になる。したがって、内視鏡コネクタ１３とレセプタクル３０との間にコネクタ抜去方向に予期せぬ負荷が働いて内視鏡コネクタ１３が抜去方向に移動された場合、ロック機構部１４Ｌのコネクタ後退面１４ｂが係合突起６２の接触面６２ｔに当接して係合状態が維持される。
【００７３】
このように、コネクタ接続状態において、内視鏡コネクタ１３に設けられたロック機構部１４Ｌのコネクタ後退面１４ｂが、レセプタクル３０を構成する係合突起６２の接触面６２ｔに対向する。この結果、内視鏡コネクタ１３のコネクタ後退面１４ｂが係合突起６２の接触面６２ｔに当接して、内視鏡コネクタ１３がレセプタクル３０から外れる不具合を確実に防止することができる。
【００７４】
そして、コネクタ接続状態にある内視鏡コネクタ１３をレセプタクル３０から取り外す際には、図１０Ｄの実線に示す係合片６０の指当て部６１ｐに例えば親指を配置して、該親指を係合片本体６１の手元側端部をロック機構部１４Ｌの滑り止め１４ａに向けて押し込む。
【００７５】
すると、係合片６０がバネ板部５２ａの弾性力に抗して回動中心６９ａを中心に反時計回りに回転して、破線に示すように係合片６０の斜面６２ｓを含む係合突起６２の一面がロック機構部１４Ｌの一面より寸法ｈだけ高い位置に配置される。
【００７６】
この配置状態において、ユーザーは、内視鏡コネクタ１３をコネクタ抜去方向である矢印Ｙ１０Ｄ方向に引っ張って、該コネクタ１４を接続空間４１内から抜去する。
【００７７】
このように、正面板２２に組み付けられるレセプタクル３０に、コネクタ接続状態において、内視鏡コネクタ１３に設けられたロック機構部１４Ｌのコネクタ後退面１４ｂに対向して配置される接触面６２ｔを有する係合突起６２を含む係合片６０を回動自在に設けている。  
この結果、コネクタ接続状態において、内視鏡コネクタ１３がレセプタクル３０から外れることを確実に防止することができる一方、コネクタ接続状態において係合片６０を予め定めた方向に回転させることによってコネクタ後退面１４ｂと接触面６２ｔとの対向した位置関係を解除して内視鏡コネクタ１３をレセプタクル３０から容易に取り外すことかできる。
【００７８】
また、係合片６０の係合突起６２側の重さが重くなるように該係合片６０の重心位置を設定すると共に、その重心位置を係合片６０の回動中心６９ａに設定した上で、バネ板部５２ａを突起部６１ｃの曲面に常時当接配置させている。  
この結果、係合片６０は、コネクタが接続されていない状態、及び、コネクタ接続状態において、初期位置規定突起６６の当接面６６ａを位置決め部材７０の係合片保持部７４に当接させて、ロック機構部１４Ｌのコネクタ後退面１４ｂと係合突起６２の接触面６２ｔとを対向した位置関係にすることができる。
【００７９】
また、第２のフレーム５０に枠状部５１及びバネ板部５２ａを設けている。  
この結果、枠状部５１を第１のフレーム４０の第２凸部４２に組み付けると同時にバネ板部５２ａを予め定めた位置に配置させることができる。したがって、部品点数の減少、及び、組付け作業における工数の削減を実現される。
【００８０】
また、本実施形態においては、バネ板部５２ａを第２のフレーム５０の枠状部５１の前端面５１ｆから突出させて構成している。このため、第２のフレーム５０を構成する板金部材の板厚を適宜設定する、或いは、幅寸法及び突出長さを適宜設定することによって、予め定めた弾性力を有する板バネを構成することができる。そして、予め、幅寸法を広めに設定しておくことによって、幅寸法を調整しつつ弾性力の調整を行うことができる。
上述した第２のフレーム５０を構成する板部材は、板金部材の他に、弾性を持って電磁波対策が施された炭素繊維板、或いは、樹脂板等、金属以外のものから構成されてもよい。
【００８１】
なお、本実施形態のレセプタクル３０においては、図１１の（Ａ）に示す位置決め部材７０Ａを用意する、或いは、図１１の（Ｂ）に示す位置決め部材７０Ｂを用意することによって弾性変形するバネ板部５２ａの支点位置を前端面５１ｆから離間させてバネ板部５２ａの弾性力を変化させてコネクタ挿入時における力覚の調整及び係合片操作時における力覚の調整を行うことができる。
【００８２】
図１１の（Ａ）に示す位置決め部材７０Ａは、位置決め部材接続部７１Ａに位置決め部材本体部７２の板バネ逃がし部７５ａ側に突出する凸部７８を設けて構成されている。符号７８ｃは支点設定端部であって、前端面５１ｆから離間したバネ板部５２ａの中途部が当接する。  
本実施形態においては、凸部７８の位置決め部材接続部７１Ａの平面からの高さを適宜設定して支点設定端部７８ｃの位置を変化させることによってバネ板部５２ａの弾性力を変化させることができる。
【００８３】
図１１の（Ｂ）に示す位置決め部材７０Ｂは、位置決め部材本体部７２Ａに板バネ逃がし部７５ａを横切るようにブリッジ部７９を設けて構成されている。符号７９ｃは、支点設定端部であって、前端面５１ｆから離間したバネ板部５２ａの中途部が当接する。  
本実施形態においては、ブリッジ部７９の配置位置、即ち、支点設定端部７９ｃの位置を変化させることによってバネ板部５２ａの弾性力を変化させることができる。
【００８４】
尚、本発明は、以上述べた実施形態のみに限定されるものではなく、発明の要旨を逸脱しない範囲で種々変形実施可能である。  
例えば、上述した実施形態においては電気機器を内視鏡のビデオプロセッサとしているが、電気機器は内視鏡に関するものに限定されるものでは無く、またビデオプロセッサに限定されるものでも無く、各種画像処理機器、パソコン等のコンピュータ、信号処理機器などの各種制御ボックス、無線信号処理機等の通信機器等、筺体を持って構成されて電気エネルギ、または、電気信号により動作する各種電気機器であってもよい。
そして、本発明に係るコネクタにより、上記各種電気機器同士を接続する構成であってもよい。
また、本実施形態では、コネクタを内視鏡から延出するユニバーサルケーブルの端部に設けられ、複数の機能を同時に接続する所謂一体型の内視鏡コネクタとしている。しかし、コネクタは、上述した一体コネクタに限定されるものではなく、内視鏡の撮像信号、制御信号、電気エネルギ等を、個々の機能を持ち筺体を持って構成される各種電気機器に対してそれぞれ独立して接続する内視鏡コネクタであってもよい。
【符号の説明】
【００８５】
１…内視鏡装置  ２…内視鏡  ３…カメラコントロールユニット（ＣＣＵ）  ４…モニタ
５…挿入部  ５ａ…先端部  ５ｂ…湾曲部  ５ｃ…可撓管部  ６…操作部  
７…ユニバーサルケーブル  ８…湾曲操作部  ８ａ…上下ノブ  ８ｂ…左右ノブ
９…スイッチ  １０…送気送水ボタン  １１…吸引ボタン  １２…処置具挿入口
１３…内視鏡コネクタ    １４Ｌ…ロック機構部  １４ｂ…コネクタ後退面  
１４ｂ…撮像コネクタ内挿部  １４ｂ…コネクタ後退面  １４ｅ…稜線  
１４ｆ…コネクタ前進面    １６…表示パネル  １６Ｅ…パネル電装部  
１７…電源スイッチ  １９…固定ネジ  ２１…筐体  ２２…正面板  ２３…背面板
２４…トップカバー  ２４Ｌ…左側面部  ２４Ｒ…右側面部  ２４Ｕ…天面部  
２５…底板  ２６…取手  ２７…送気ポンプ  ２８…電源部  ２９…制御部  
３０…レセプタクル  ３０ｍ…接続口  ３１…内視鏡コネクタ接続部
３２…内視鏡コネクタ接続部  ３２ａ…長手方向軸  ４０…第１のフレーム  
４０Ａ…筐体取付部  ４０Ａａ…一面４０Ａｂ…他面  ４０Ａｕ…上側部  
４０ｈ…貫通孔  ４１…第１凸部  ４１…コネクタ接続空間  ４１Ｕ…天面壁部  
４１Ｕｏ…外面      ４１ｍ…開口  ４１ｍｆ…開口側端面  ４２…第２凸部  
４３ａ…第１貫通孔の中心軸  ４３ｈ１…第１貫通孔  ４３ｈ２…第２貫通孔  
４４…ガイド部  ４４ａ…突起部  ４４ｇ…溝  ４５…切欠部  ４５ｂ…底面  
４５ｓ…側面  ４６…ピン保持部  ５０…第２のフレーム  ５０ｍ…箱開口  
５１…枠状部  ５１ｆ…前端面  ５２ａ…バネ板部  ５２ｂ…保持板部  ６０…係合片
６１…係合片本体  ６１ａ…長手軸  ６１ｃ…突起部  ６１ｐ…指当て部  
６２…係合突起  ６２ｓ…斜面  ６２ｔ…接触面  ６３…バネ当接面部  
６４…ピン保持孔  ６５…位置ずれ防止突起  ６６…初期位置規定突起  ６６ａ…当接面
６９…回動軸  ６９ａ…回動中心  ７０…位置決め部材  ７０ｈ…貫通孔  ７１…接続部
７２…本体部  ７３…回動支持部  ７４…係合片保持部  ７５…逃がし部
７５ａ…板バネ逃がし部  ７５ｂ…突起逃がし部  ７６…浮き規制部  ７８…凸部
７８ｃ、７９ｃ…支点設定端部  ７９…ブリッジ部  
【図１】
2015191850.tif 000003
【図２】
2015191850.tif 000004
【図３】
2015191850.tif 000005
【図４】
2015191850.tif 000006
【図５】
2015191850.tif 000007
【図６】
2015191850.tif 000008
【図７Ａ】
2015191850.tif 000009
【図７Ｂ】
2015191850.tif 000010
【図７Ｃ】
2015191850.tif 000011
【図７Ｄ】
2015191850.tif 000012
【図８】
2015191850.tif 000013
【図９】
2015191850.tif 000014
【図１０Ａ】
2015191850.tif 000015
【図１０Ｂ】
2015191850.tif 000016
【図１０Ｃ】
2015191850.tif 000017
【図１０Ｄ】
2015191850.tif 000018
【図１１】
2015191850.tif 000019